(57)【要約】【課題】流通過程や店頭で蓋が不正開封されると、不正開封された証拠が残り、不正開封されたことを外観から一目瞭然に確認することができる不正開封防止機能付キャップを提供する。【解決手段】キャップ本体100 の周壁110 の後方上端部にヒンジ300 を介して蓋200 が開閉可能に接続するキャップであって、蓋の周壁220 のヒンジ対向側下端に、開閉用つまみ230 を突設し、キャップ本体の周壁のヒンジ対向側上端部に、蓋をキャップ本体に閉じた状態で開閉用つまみの上面に掛着して蓋をキャップ本体に定着する引掛け紐120 の両端を、キャップ本体の前方左右側の周壁外周面に接続し、かつ、引掛け紐に、蓋を開いたときに破断する薄肉脆弱線121 を設ける。【選択図】図１
2005350111.tif 000002
【特許請求の範囲】
【請求項１】
キャップ本体の周壁の後方上端部にヒンジを介して蓋が開閉可能に接続するキャップにおいて、蓋の周壁のヒンジ対向側下端に、開閉用つまみを突設し、キャップ本体の周壁のヒンジ対向側上端部に、蓋をキャップ本体に閉じた状態で開閉用つまみの上面に掛着して蓋をキャップ本体に定着する引掛け紐の両端を、キャップ本体の前方左右側の周壁外周面に接続し、かつ、引掛け紐に、蓋を開いたときに破断する薄肉脆弱線を設けたことを特徴とする不正開封防止機能付キャップ。
【請求項２】
開閉用つまみの上面内側に引掛け凹溝を設け、この引掛け凹溝に引掛け紐を掛着して、蓋をキャップ本体に定着したことを特徴とする請求項１記載の不正開封防止機能付キャップ。
【発明の詳細な説明】
【技術分野】
【０００１】
本発明は、キャップ本体の後方に蓋がヒンジを介して開閉可能に接続するキャップであり、流通過程や店頭でキャップが不正開封されると、不正開封されたことが、外観から一目瞭然に判明することができる不正開封防止機能付キャップに関するものである。
【背景技術】
【０００２】
従来、市場の店頭などで商品の不正開封、例えば、ＰＥＴボトル（ポリエチレンテレフタレートを二軸延伸ブロー成形したボトル）の口頸部には、キャップ本体にヒンジを介して蓋が接続するキャップが螺合又は咬合により装着されているが、このキャップの蓋が故意に開けられ、キャップ本体の注出筒に収容されているプルリングを引っ張って、注出筒の内側下方の封鎖板に設けられている環状薄肉脆弱線を破断してキャップ本体を開封したのちに、再度、蓋をキャップ本体に閉じて、そのまま店頭に戻すと言う悪戯が多く見られいた。
【発明の開示】
【発明が解決しようとする課題】
【０００３】
しかしながら、上述の従来の蓋付のキャップは、注出筒を封止する封鎖板をプルリングにより開口して初めて容器が開封されるものであるため、特には、蓋の不正開封防止策は取られていなかった。
【０００４】
本発明は、上述の従来のキャップの問題点を解決したものであり、流通過程や店頭で蓋が不正開封されると、不正開封された証拠が残り、不正開封されたことを外観から一目瞭然に確認することができる不正開封防止機能付キャップを提供するものである。
【課題を解決するための手段】
【０００５】
すなわち、本発明の第１の発明は、キャップ本体の周壁の後方上端部にヒンジを介して蓋が開閉可能に接続するキャップにおいて、蓋の周壁のヒンジ対向側下端に、開閉用つまみを突設し、キャップ本体の周壁のヒンジ対向側上端部に、蓋をキャップ本体に閉じた状態で開閉用つまみの上面に掛着して蓋をキャップ本体に定着する引掛け紐の両端を、キャップ本体の前方左右側の周壁外周面に接続し、かつ、引掛け紐に、蓋を開いたときに破断する薄肉脆弱線を設けたことを特徴とする不正開封防止機能付キャップである。
【０００６】
そして、本発明の第２の発明は、開閉用つまみの上面内側に引掛け凹溝を設け、この引掛け凹溝に引掛け紐を掛着して、蓋をキャップ本体に定着したことを特徴とする第１の発明に記載の不正開封防止機能付キャップである。
【発明の効果】
【０００７】
本発明の不正開封防止機能付キャップは、蓋をキャップ本体に閉じて未開封の場合には、蓋の後方は、ヒンジを介してキャップ本体に接続し、蓋の前方に突設する開閉用つまみの上面には、キャップ本体の前方左右方向の周壁上端部外周面に両端を接続する引掛け紐が引っ掛けられた状態にある。流通過程や店頭などで、開閉用つまみで蓋をキャップ本体から不正開封されると、蓋の開閉用つまみを掛着している引掛け紐に設けられている薄肉脆弱線が必ず破断される。この破断された引掛け紐は、元の状態に戻すことは不可能であるため、不正開封されたことの証拠が残り、この引掛け紐の破断から不正開封されことが、外観から一目瞭然に確認することができる。
【０００８】
また、蓋の開閉用つまみの上面内側に引掛け凹溝を設け、この引掛け凹溝にキャップ本
体の引掛け紐を掛着した不正開封防止機能付キャップは、引掛け紐が開閉用つまみの引掛け凹溝にしっかりと掛着されるため、さらに、不正開封防止機能が向上する。
【発明を実施するための最良の形態】
【０００９】
次に、本発明の不正開封防止機能付キャップの一実施形態について、図を用いて詳細に説明する。
【００１０】
図１は、本実施形態の不正開封防止機能付キャップの蓋を開いた状態における断面図であり、図２（ａ）は、その平面図で、図２（ｂ）は、正面図である。図３（ａ）は、本実施形態の不正開封防止機能付キャップの蓋を閉めた状態における平面図で、図３（ｂ）は、正面図である。図４は、本実施形態の不正開封防止機能付キャップの蓋を閉めた状態における開閉つまみが、引掛け紐で掛止された状態を示す断面図である。
【００１１】
本実施形態の不正開封防止機能付キャップ（１０）は、図１に示すように、プルリング（４３４）で注出筒（４２０）の内側を封止する封鎖板（４３０）を開口するキャップ本体に、ヒンジ（３００）を介して開閉可能に蓋（２００）が接続するキャップであり、流通過程や店頭における不正開封防止機能を有するキャップである。なお、本実施形態の不正開封防止機能付キャップは、薄肉脆弱線をもちこれに所定の力（開封するための通常の力）が加わったときに破断される必要があるため、破断可能な低密度ポリエチレンなどの熱可塑性樹脂を用いて、射出成形法によりキャップ本体とヒンジと蓋を一体に成形するものである。なお、薄肉脆弱線の強度は、成形材料の材質、厚み及び幅などにより調整されるものである。
【００１２】
本実施形態のキャップ本体（１００）の構造は、図１、図２（ａ）及び（ｂ）に示すように、キャップ本体（１００）の周壁（１１０）のヒンジ（３００）対向側上端部に、蓋（２００）をキャップ本体に閉じた状態で開閉用つまみ（２３０）の上面に掛着して蓋をキャップ本体に定着する引掛け紐（１２０）の両端を、キャップ本体の前方左右側の周壁外周面のに接続し、また、引掛け紐に蓋を開けたときに破断する図２（ａ）に示す薄肉脆弱線（１２１）を引掛け紐の両端近傍位置の２箇所に設け、キャップ本体の周壁の下端部内周面に、図４に示す容器（２０）の口頸部（２１）の先端部外周面に設けられた咬合リング（２３）と咬合するの咬合リング（１１１）を設け、図１に示すように、周壁（１１０）上端内側に、注出部（４００）を接続して設けるものである。注出部は、天板（４１０）の外周縁部に、上端外周面に蓋部（２００）の周壁（２２０）下端内周面に設けられた咬合リング（２２１）と咬合する咬合リング（４１３）をもつ液垂れ防止リング（４１２）を立設し、その内側の天板に注出筒（４２０）を立設し、この注出筒の内側下方に封鎖板（４３０）を設けて封鎖し、この封鎖板の開口予定位置に、下面に環状切込み（４３１）を設けて上面に環状薄肉脆弱線（４３２）を形成し、この環状薄肉脆弱線の内側近傍位置に、先端にプルリング（４３４）をもつ支柱（４３３）を突設し、天板下面には、図４に示す容器（２０）の口頸部（２１）の口部（２２）を封止するインナー封止リング（４１１）（外周面を容器の口部内周面に密接）を垂設するものである。
【００１３】
本実施形態の蓋（２００）の構造は、図１又は図４に示すように、天板（２１０）と周壁（２２０）とからなり、天板の下面に、キャップ本体（１００）の周壁（１１０）上端内側に接続して設けられた注出部（４００）の注出筒（４２０）を封止するインナー封止リング（２１１）（外周面を注出筒の内周面に密着）を垂設し、周壁のヒンジ（３００）対向側下端に、開閉用つまみ（２３０）を突設するものである。この開閉用つまみの上面内側に、引掛け紐を掛着するための引掛け凹溝（２３１）を設けるものである。
【００１４】
本実施形態の不正開封防止機能付キャップは、蓋をキャップ本体に閉じて蓋の開閉用つまみの引掛け溝にキャップ本体に接続する引掛け紐を引っ掛けて、蓋をキャップ本体に掛
着すると、引掛け紐に設けられている薄肉脆弱線を破断することなしには、蓋をキャップ本体から開くことはできなかった。一旦破断した引掛け紐は、元の状態に戻すことは不可能であり、蓋が開けられたことが、外観から一目瞭然に確認できた。
【図面の簡単な説明】
【００１５】
【図１】本発明の一実施形態の不正開封防止機能付キャップの蓋を開いた状態における断面図である。
【図２】（ａ）は、図１に示す不正開封防止機能付キャップの平面図であり、（ｂ）は、正面図である。
【図３】（ａ）は、図１に示す不正開封防止機能付キャップの蓋を閉めた状態における平面図であり、（ｂ）は、正面図である。
【図４】図１に示す不正開封防止機能付キャップの蓋を閉めた状態における開閉つまみが、引掛け紐で掛止された状態を示す断面図である。
【符号の説明】
【００１６】
１０……キャップ
２０……容器
２１……口頸部
２２……口部
２３，４１３……咬合リング
１００……キャップ本体
１１０，２２０……周壁
１１１……係合部又は咬合リング
１２０……引掛け紐
１２１……薄肉脆弱部
２００……蓋
２１０，４１０……天板
２１１，４１１……インナー封止リング
２２１……咬合リング
２３０……開閉用つまみ
２３１……引掛け凹溝
３００……ヒンジ
４００……注出部
４１２……液垂れ防止リング
４２０……注出筒
４３０……封鎖板
４３１……環状切込み
４３２……環状薄肉脆弱線
４３３……支柱
４３４……プルリング
【図１】
2005350111.tif 000003
【図２】
2005350111.tif 000004
【図３】
2005350111.tif 000005
【図４】
2005350111.tif 000006